(57)【特許請求の範囲】
【請求項１】
建物躯体の壁の開口部の端面を覆う長尺材からなる化粧枠であって、
壁の開口部の端面を覆う本体部材と、
この本体部材の少なくとも一方の側縁に固定されて、本体部材と壁とが当接する部分を覆うとともに、壁の板厚方向にスライド可能なスライド部材とを備え、
前記本体部材は、壁の開口部の端面を覆う長尺平板状の平板部材と、この平板部材の両側縁に固定されて本体部材の厚みを形成する縦断面形状が略Ｆ字状のＦ状厚み部材とを備え、
前記平板部材及びＦ状厚み部材により、スライド部材をスライド可能にはめ込むために壁の板厚方向に向かって開口するスライド溝が、Ｆ状厚み部材と平板部材との間に形成され、壁の板厚方向の略中央で壁の面方向に伸びるレール溝が、Ｆ状厚み部材間に形成され、
前記スライド部材は、壁の表面に当接するため壁の表面に向かって延設された当接部を備え、
前記本体部材の側縁側の角部には、前記本体部材を構成するＦ状厚み部材の側端面の角部と、スライド部材の角部とを段差状に配置することにより段差状角部が形成されていることを特徴とする化粧枠。
【請求項２】
本体部材の裏面側には、一方の側端面を建物躯体の壁の表面と面一に取り付けることにより、本体部材の取付位置を決める位置決め部材が形成されていることを特徴とする請求項１記載の化粧枠。
【請求項３】
化粧枠は、樹脂と微粒子の木粉とを主材とする組成物よりなることを特徴とする請求項１または請求項２記載の化粧枠。
【発明の詳細な説明】
【０００１】
【発明の属する技術分野】
この発明は、建物躯体の壁の開口部の端面を覆う長尺材からなる化粧枠に関する。
【０００２】
【先行技術】
図６は、従来の化粧枠の縦断面図を示すものである。
この化粧枠110は、建物の内部の三枚の引違い戸160の上部を案内するとともに、開口部の上部の壁111の下端面を覆う長尺状の鴨居120を形成しているものである。
【０００３】
この鴨居120は、開口部の下部に形成される敷居150とにより、開口部の上下において、引違い戸160を摺動可能に支持するものである。
前記壁111は、特に図示しないが、四角枠及びその四角枠内を覆う面材からなる壁パネル140と、この壁パネル140の両面の表面を覆う表面部材130とから形成されている。
【０００４】
前記化粧枠110は、平板状の横材であって、その下面には、三枚の引違い戸160を案内するための下方に向かって凹状に開口する案内溝121が形成されている。この化粧枠110の幅は、壁111の厚みよりも大きくなるように設定されており、化粧枠110の両側縁部122が壁パネル140の下端から横方向に突出するように形成されている。そして、この化粧枠110の横方向に突出した側縁部122の上面に表面部材130の下端が位置するように形成されている。
【０００５】
また、化粧枠110の側縁部122には、表面部材130の下端が、化粧枠110の側縁部122の上面に当接する部分を隠すために、化粧枠110の側縁部122に上方に向かって突出する突出部123を形成する場合もあった。
一方、本願発明に関連のある技術として、ＰＣＴ ＪＰ９４／００３５１号（国際公開番号；ＷＯ９４／２０２８０号）に記載された「セルロース系微粉粒、木質様成形品および木質様製品」の技術について簡単に説明する。
【０００６】
原料としてのセルロース材を粉砕して得た粉砕粉を磨砕処理して嵩比重を高めた粉粒とし、この粉粒の外周面に、該粉粒よりも小径でかつ硬い表面粒を固定させて固定粒とし、この固定粒に樹脂及び顔料を混合し、かつ溶融させ、その後または溶融と同時に押出成形または射出成形により所望形状に成形する。
すると、天然の木の木目に極めて近い模様を表面に有し、しかも手触り感等の風合いも天然の木に近い木質様製品の製造方法及び木質様製品を提供することができるのである。
【０００７】
【発明が解決しようとする課題】
しかし、上記した従来の化粧枠120は、その側縁部122の上面と、建物躯体の壁111の下端面、すなわち、表面部材130の下端面との当接する部分が、室内側から見えるような状態となっているため、建物躯体の壁111の下端を、化粧枠120の側縁部122の上面に沿って隙間無く形成するのは容易ではないという第一の問題点があった。
【０００８】
さらに、化粧枠120の側縁部122の上面と、建物躯体の壁111の下端との当接する部分を室内側から隠すために、化粧枠120の側縁部122に上方に向かって突出するような突出部123を形成する場合には、建物躯体の壁111の厚みが寸法誤差等により変化すると突出部123と建物躯体の壁111の表面との間に隙間が形成されるという第二の問題点があった。
【０００９】
そこで、請求項１記載の発明は、上記した従来の技術の有する第一および第二の問題点に鑑みてなされたものであり、その目的とするところは、建物躯体の壁と化粧枠との当接する部分を室内側から隠すことができるとともに、建物躯体の壁の厚みの変化にも、対応することができる化粧枠を提供しようとするものである。さらに、これに加えてこの請求項１記載の発明は、二つの角部を段差状に配置したことにより、角部に直線を基調とした外観デザインを表出させることができて、外観が良好な化粧枠を提供しようとするものである。
【００１０】
これに加え、請求項２記載の発明は、位置決め作業が容易で、取付作業を容易にすることができる化粧枠を提供しようとするものである。
【００１１】
これに加え、請求項３記載の発明は、素材感が木そのものであり、表面を手で触った際、良好な手触り感が得られるとともに、均一性、耐水性に優れた化粧枠を提供しようとするものである。
【００１２】
【課題を解決するための手段】
本発明は、上記した目的を達成するためのものである。
請求項１記載の発明は、建物躯体の壁(20)の開口部(23)の端面を覆う長尺材からなる化粧枠(10)であって、壁(20)の開口部(23)の端面を覆う本体部材(30)と、この本体部材(30)の少なくとも一方の側縁に固定されて、本体部材(30)と壁(20)とが当接する部分を覆うとともに、壁(20)の板厚方向にスライド可能なスライド部材(40)とを備え、前記本体部材(30)は、壁(20)の開口部(33)の端面を覆う長尺平板状の平板部材(34)と、この平板部材(34)の両側縁に固定されて本体部材(30)の厚みを形成する縦断面形状が略Ｆ字状のＦ状厚み部材(35)とを備え、前記平板部材(34)及びＦ状厚み部材(35)により、スライド部材(40)をスライド可能にはめ込むために壁(20)の板厚方向に向かって開口するスライド溝(41)が、Ｆ状厚み部材(35)と平板部材(34)との間に形成され、壁(20)の板厚方向の略中央で壁の面方向に伸びるレール溝(41)が、Ｆ状厚み部材(35)間に形成され、前記スライド部材(40)は、壁(20)の表面に当接するため壁(20)の表面に向かって延設された当接部(50)を備え、前記本体部材(30)の側縁側の角部には、前記本体部材(30)を構成するＦ状厚み部材(35)の側端面の角部(71)と、スライド部材(40)の角部(72)とを段差状に配置することにより段差状角部(70)が形成されていることを特徴とする。
【００１３】
なお、ここで、化粧枠(10)は、建物躯体の壁(20)の開口部(23)の端面を覆うものであって、その長手方向は、横方向又は縦方向のいずれでも良いものである。すなわち、鴨居（例えば引違い用鴨居14）のような横方向に延びる横部材や、鴨居と敷居とを結ぶ支柱の表面を化粧する縦部材にも使用することができるものである。
【００１４】
本発明は、スライド部材(40)が、本体部材(30)の少なくとも一方の側縁に固定されて、本体部材(30)と壁(20)とが当接する部分を覆っている。このため、本体部材(30)と壁(20)とが当接する部分を室内側から見えないように隠すことができる。これにより、建物躯体の壁(20)と、化粧枠(10)との間に隙間が発生しないように特別に考慮する必要もなく、取付作業を容易にすることができる。
【００１５】
また、スライド部材(40)は、本体部材(30)のスライド溝(41)の内部を壁(20)の板厚方向にスライド可能であって、スライド部材(40)は、壁(20)に向かって延設された当接部(50)が形成されている。このため、壁(20)の厚さが、寸法誤差により、また、種類により異なっても、スライド部材(40)をスライド溝(41)の内部に沿ってスライドさせて、当接部(50)を壁(20)の表面に当接させることができる。これにより、壁(20)の厚さが異なるものにも、化粧枠(10)と壁(20)との間に隙間を発生させることなく、化粧枠(10)を形成することができ、現場施工において、簡単に壁(20)の厚みの変化に対応することができる。
また、本発明によれば、化粧枠(10)の角部に、本体部材(30)を構成するＦ状厚み部材(35)の側端面の角部(71)と、スライド部材(40)の角部(72)とを段差状に配置し、段差状角部(70)を形成しているから、化粧枠(10)の角部に二つの角部が、平行に形成される。これにより、化粧枠(10)の角部に直線を基調とした外観デザインを表出させることができ、化粧枠(10)の外観を良好なものにすることができる。
【００１６】
請求項２記載の発明は、上記した請求項１記載の特徴点に加え、本体部材(30)の裏面側には、一方の側端面(61)を建物躯体の壁(20)の表面と面一に取り付けることにより、本体部材(30)の取付位置を決める位置決め部材(60)が形成されていることを特徴とする。
なお、ここで、「一方の側端面(61)を建物躯体の壁(20)の表面と面一に取り付けることにより、本体部材(30)の取付位置を決める」とは、本体部材(30)を所定の取付位置に設定した場合に、位置決め部材(60)の側端面(61)が、壁(20)の表面と面一になるように、予め、本体部材(30)に位置決め部材(60)を取り付けておくことを含むものである。
【００１７】
本発明は、位置決め部材(60)の一方の側端面(61)を建物躯体の壁(20)の表面と面一に取り付ける。これにより、本体部材(30)の取付位置を決めることができ、取付位置を物差しで測定して、けがいたりする必要がなく、現場施工における位置決め作業を容易にし、取付作業を容易にすることができる。
【００１８】
【００１９】
請求項３記載の発明は、上記した請求項１または請求項２記載の特徴点に加え、化粧枠(10)は、樹脂と微粒子の木粉とを主材とする組成物よりなることを特徴とする。
なお、ここで、「樹脂」とは、硬質樹脂、軟質樹脂を含み、例えば塩化ビニル樹脂、発泡塩化ビニル樹脂、ポリエチレン樹脂、ポリプロピレン樹脂、フェノール樹脂、ウレタン樹脂、ポリウレタン樹脂、ＡＢＳ樹脂、ポリスチレン樹脂等である。
【００２０】
また、ここで「微粒子の木粉」とは天然木材のほか、おがくず等を粉砕により、微粉状の粒子に形成しているものを含むものである。
本発明は、化粧枠(10)に木粉が含まれているため、化粧枠(10)の表面を手で触った感触が、木質感のあるものとなり、樹脂や塩化ビニル等の表面のツルッとした感触がなく、手にしっくりとなじむ良好な手触り感を得ることができる。
【００２１】
また、化粧枠(10)は、上述した材料から形成され、樹脂を有しているため、木質材と比較して、吸水性が小さく、吸湿による収縮も発生しない。これにより、木質材と比較して、反り難く、ねじれ難く、また、腐り難いという材料としての均一性に優れたものにすることができる。
【００２２】
なお、ここで、「化粧枠(10)」は、セルロース系材料の微粉末の表面にこの微粉末よりも小径で、かつ硬い微粉末を担持させて作成した粉体を混合した樹脂を着色成形することによって木目模様を呈するように形成するとよい。このような材質を用いると、その表面に木目模様を出すことができる。また、木質材料では原料となる天然木材の違いや、含有水分の違い等による品質のバラツキが発生するが上述したような材質からなる「化粧枠(10)」ではそのようなことがなく、製品のバラツキを抑えることができる。すなわち、上述した材料を用いて成形した成形品は、複雑な断面形状をなしていても木目模様を呈するので、室内の他の表面部材に木質材、またはそれに変わる木質感のあるものを使用した場合に、外観デザインを調和させる意味で、使用するのに適している。換言すれば、天然の木材を切削加工したのでは手間がかかるような断面形状の部材であっても、木目模様を呈する成形品として提供することができる。
【００２３】
そして、「粉体を混合した樹脂」からなるため、通常の木質材料よりも水分を吸収し難く、仮に水分が付着しても水分を拭き取れば済み、メンテナンスを容易にすることができるものである。すなわち、手垢等の汚れがこの化粧材の表面に付着しても濡れ雑巾で掃除することができ、汚れを除去した後、水分をふき取れば良いものである。これにより、外観上は木目模様を呈することができて木製品と同様の外観を形成することができるが、耐水性に関しては木製品と比較してはるかに水に強い化粧枠(10)を提供できるものである。
【００２４】
なお、ここで、「セルロース系材料」とは、天然木材のほか、おがくず、稲藁、バカスなどを含む。また、「微粉末よりも小径でかつ固い微粉末」とは、酸化チタン、フェライト、アルミニウム、ニッケル、銀、セラミック、炭酸カルシウム等の微粉末をいうものである。
【００２５】
また、「樹脂を着色」する材料とは、有色顔料であり、例えば酸化鉄、カドミウムイエロー、カーボンブラック等の無機顔料である。また、「樹脂を着色成形することによって木目模様を呈する」とは、上述した顔料を使用して、樹脂自体を着色しているため、表面のみではなく、内部にまで木目模様を呈するように形成しているものである。これにより、化粧枠(10)の表面が、これらの周辺の周辺部材と繰り返し接触して磨耗しても表面の木目模様が消えることがなく、良好な木目模様の外観を維持することができる。
【００２６】
【００２７】
【発明の実施の形態】
以下、本発明の実施の形態を図面に基づいて、更に詳しく説明する。
図１乃至図３は、本発明に係る化粧枠の概要を説明するためのものであり、図１は化粧枠の縦断面図、図２はスライド部材の側面図、図３は本体部材の側面図をそれぞれ示すものである。
【００２８】
まず、これらの図における化粧枠10の構成について説明する。
この化粧枠10は、建物躯体の和室12と洋室13との間を仕切る壁20に開口する開口部23の上部の和室12側の下端面を覆う長尺材からなる片引き用鴨居11である。この開口部23の下部には、長尺材からなる敷居81が形成されてあり、この敷居81及び片引き用鴨居11により、開口部23の内部において、左右に摺動可能な一枚の引違い戸80を保持している。そして、建物躯体の壁20は、特に図示しないが、四角枠状の枠材及びこの枠材を塞ぐ面材からなる壁パネル21と、この壁パネル21の面材の表面を覆う表面部材22とを備えている。
【００２９】
前記片引き用鴨居11は、壁20の開口部23の上部の下端面の一部を覆う本体部材30と、この本体部材30の和室12側の側縁に固定されて、本体部材30の上面及び壁20の表面部材22の下端面が当接する部分を覆うとともに、壁20の板厚方向にスライド可能なスライド部材40とを備えている。前記本体部材30は、スライド部材40をスライド可能にはめ込むために本体部材30の和室12側の側縁に壁20の板厚方向に向かって開口するスライド溝41と、引違い戸80の上部を案内するためのレール溝31とを備えている。そして、スライド溝41の内面には、縦断面形状が鋸歯状に凹凸を有する凹凸部43が形成されている。
【００３０】
前記スライド部材40は、本体部材30のスライド溝41にはめ込み可能に突出するスライド突出部42と、壁20の表面部材22の表面に当接するため壁20に向かって延設された縦断面が略Ｌ字状の当接部50とを備えている。そして、スライド突出部42の表面周囲には、スライド溝41の内面と同様に、縦断面形状が鋸歯状に凹凸を有する凹凸部43が形成されている。
【００３１】
そして、本体部材30は、本体部材30の和室12側に臨む面と、本体部材30の下端面とからなる本体側角部71を有し、スライド部材40は、スライド部材40の和室12側に臨む面と、スライド部材40の下端面とからなるスライド側角部72を有している。そして、片引き用鴨居11は、本体部材30の本体側角部71と、スライド部材40のスライド側角部72とを段差状に配置した段差状角部70を備えている。
【００３２】
前記化粧枠10である片引き用鴨居11は、樹脂と微粒子の木粉とを主材とする組成物よりなり、長手方向に同一断面を有する押出成型により形成されているものである。
次に、上記した構成による作用及び効果について説明する。
上述した構成によれば、スライド部材40が、本体部材30の和室12側のスライド溝41に固定されて、本体部材30の上面と表面部材22の下端面とが当接する部分を覆っている。このため、本体部材30の上面と表面部材22の下端面とが当接する部分を室内側から見えないように隠すことができる。これにより、建物躯体の壁20の表面部材22の下端面と、片引き用鴨居11の上面との間に隙間が発生しないように特別に考慮する必要もなく、取付作業を容易にすることができる。
【００３３】
また、スライド部材40は、本体部材30のスライド溝41の内部を壁20の板厚方向にスライド可能に形成されている。すなわち、本体部材30のスライド溝41の内部にスライド部材40のスライド突出部42を進退させると、スライド溝41の凹凸部43とスライド突出部42の凹凸部43とが、凹凸部43が形成されている範囲内においては、いずれの位置においても、両者を噛み合わせて固定させることができる。そして、スライド部材40には、表面部材22に向かって延設された当接部50が形成されている。
このため、壁20の厚さが、寸法誤差により、また、種類により異なっても、スライド部材40のスライド突出部42をスライド溝41の内部に沿ってスライドさせて、当接部50を表面部材22の表面に当接させることができる。これにより、壁20の厚さが異なるものにも、スライド部材40と表面部材22との間に隙間を発生させることなく、片引き用鴨居11を形成することができ、現場施工において、簡単に壁20の厚みの変化に対応することができる。
【００３４】
また、上述した構成では、片引き用鴨居11の角部に、本体部材30の本体側角部71と、スライド部材40のスライド側角部72とを段差状に配置し、段差状角部70を形成している。このため、片引き用鴨居11の和室12側の下部に、本体側角部71及びスライド側角部72の二つの角部が、平行に形成される。これにより、片引き用鴨居11の角部に直線を基調とした外観デザインを表出させることができ、化粧枠10の外観を良好なものにすることができる。
【００３５】
ここで用いている化粧枠10では、木粉が含まれているため、化粧枠10の表面を手で触った感触が、木質感のあるものとなり、樹脂や塩化ビニル等の表面のツルッとした感触がなく、手にしっくりとなじむ良好な手触り感を得ることができる。また、化粧枠10は、上述した材料から形成され、樹脂を有しているため、木質材と比較して、吸水性が小さく、吸湿による収縮も発生しない。これにより、木質材と比較して、反り難く、ねじれ難く、また、腐り難いという材料としての均一性に優れたものにすることができる。
【００３６】
次に、本発明に係る化粧枠の第一の実施の形態について説明する。
図４乃至図５は、本発明の第一の実施の形態に係る化粧枠であって、図４は、化粧枠を組み込んだ状態の縦断面図、図５は、化粧枠を組み立てる状態の組立図をそれぞれ示すものである。
ここでの本実施の形態に係る化粧枠10は、建物躯体の和室12と洋室13との間を仕切る壁20に開口する開口部23の上部の下端面を覆って、二枚の引違い戸80の上部を案内することができる引違い用鴨居14である。
【００３７】
この引違い用鴨居14は、開口部23の上部の下端面の全面を覆う本体部材30と、この本体部材30の和室12側及び洋室13側の両方の側縁に固定されて、壁20の板厚方向にスライド可能なスライド部材40とを備えている。すなわち、前述した化粧枠10の概要説明では、スライド部材40が一個のみ形成されていたのに対して、本実施の形態では、壁20の両側に向かってスライド部材40が二個、形成されているものである。
【００３８】
そして、本体部材30の建物躯体側には、和室12側の側端面61を建物躯体の壁20の壁パネル21の表面と面一に取り付けることにより、本体部材30の取付位置を決める木質からなる位置決め部材60が形成されている。
前記本体部材30は、壁20の下端面を覆う長尺平板状の平板部材34と、この平板部材34の両側縁に固定されて本体部材30の厚みを形成する縦断面形状が略Ｆ字状のＦ状厚み部材35と、本体部材30の中央において、上方に向かって貫通して壁パネル21に本体部材30を固定させる締結部材32と、その締結部材32の操作頭部を室内側から隠すために下方から被せる縦断面形状が略コ字状のキャップ33とを備えている。
【００３９】
そして、本体部材30は、平板部材34及びＦ状厚み部材35により、スライド部材40をスライド可能にはめ込むために壁20の板厚方向に向かって開口するスライド溝41が和室12側及び洋室13側に形成されている。そして、レール溝31も、壁20の板厚方向の略中央で壁20の面方向に伸びて二本、形成されている。
本実施の形態に係る化粧枠10は、セルロース系材料の微粉末の表面にこの微粉末よりも小径で、かつ硬い微粉末を担持させて作成した粉体を混合した樹脂を着色成形することによって木目模様を呈するように形成したものである。
【００４０】
その他の構成は、前述した概要説明と略同様であって、前述した概要説明と同様の部品には、同一の部品番号を付与して説明を省略する。
次に、本実施の形態の作用及び効果について説明する。
本実施の形態の作用及び効果は、前述した概要説明と略同様であるが、これに加えて、位置決め部材60の和室12側の側端面61を壁20の壁パネル21の面材の表面と面一に取り付けることにより、本体部材30の取付位置を容易に決めることができる。すなわち、取付位置を物差し等で測定して、けがいたりする必要がなく、現場施工における位置決め作業を容易にし、取付作業を容易にすることができる。
【００４１】
化粧枠10は、上述したような材質からなるため、その表面に木目模様を出すことができる。また、木質材料では原料となる天然木材の違いや、含有水分の違い等による品質のバラツキが発生するが上述したような材質からなる化粧枠10ではそのようなことがなく、製品のバラツキを抑えることができる。
すなわち、上述した材料を用いて成形した成形品は、複雑な断面形状をなしていても木目模様を呈するので、室内の他の表面部材に木質材、またはそれに変わる木質感のあるものを使用した場合に、外観デザインを調和させる意味で、使用するのに適している。換言すれば、天然の木材を切削加工したのでは手間がかかるような断面形状の部材であっても、木目模様を呈する成形品として提供することができる。
【００４２】
そして、「粉体を混合した樹脂」からなるため、通常の木質材料よりも水分を吸収し難く、仮に水分が付着しても水分を拭き取れば済み、メンテナンスを容易にすることができるものである。すなわち、手垢等の汚れがこの化粧材の表面に付着しても濡れ雑巾で掃除することができ、汚れを除去した後、水分をふき取れば良いものである。これにより、外観上は木目模様を呈することができて木製品と同様の外観を形成することができるが、耐水性に関しては木製品と比較してはるかに水に強い化粧枠10を提供できるものである。
【００４３】
そして、上述した顔料を使用して、樹脂自体を着色しているため、表面のみではなく、内部にまで木目模様を呈するように形成しているため、化粧枠10の表面が、これらの周辺の周辺部材と繰り返し接触して磨耗しても表面の木目模様が消えることがなく、良好な木目模様の外観を維持することができる。
なお、前述した概要説明での化粧枠10である片引き用鴨居11の材質は、樹脂と微粒子の木粉とから形成されていたが、特にこれに限定されるものでは無く、樹脂そのものでも良く、また、第一の実施の形態に使用されているセルロース系材料の微粉末の表面にこの微粉末よりも小径で、かつ硬い微粉末を担持させて作成した粉体を混合した樹脂を着色成形することによって木目模様を呈するように形成したものでも良いものである。
【００４４】
さらに、第一の実施の形態に係る化粧枠10である引違い用鴨居14の材質は、上述した材質に限定されるものでは無く、樹脂そのものでも良く、また、前述した概要説明に使用した樹脂と微粒子の木粉とから形成しても良いものである。
【００４５】
【発明の効果】
本発明は、以上のように構成されているので、以下に記載されるような効果を奏する。
請求項１記載の発明によれば、建物躯体の壁と化粧枠との当接する部分を室内側から隠すことができるとともに、建物躯体の壁の厚みの変化にも、対応することができる化粧枠を提供することができる。また、この請求項１記載の発明によれば、二つの角部を段差状に配置したことにより、角部に直線を基調とした外観デザインを表出させることができて、外観が良好な化粧枠を提供することができる。
【００４６】
請求項２記載の発明によれば、位置決め作業が容易で、取付作業を容易にすることができる化粧枠を提供することができる。
【００４７】
請求項３記載の発明によれば、素材感が木そのものであり、表面を手で触った際、良好な手触り感が得られるとともに、均一性、耐水性に優れた化粧枠を提供することができる。
【図面の簡単な説明】
【図１】  本発明の概要説明であって、化粧枠を示す縦断面図である。
【図２】  本発明の概要説明であって、スライド部材を示す側面図である。
【図３】  本発明の概要説明であって、本体部材を示す側面図である。
【図４】  本発明の第一の実施の形態であって、化粧枠を組み込んだ状態を示す縦断面図である。
【図５】  本発明の第一の実施の形態であって、化粧枠を組み立てる状態を示す組立図である。
【図６】  従来の化粧枠を示す縦断面図である。
【符号の説明】
10…化粧枠、11…片引き用鴨居、12…和室、13…洋室、14…引違い用鴨居、20…壁、21…壁パネル、22…表面部材、23…開口部、30…本体部材、31…レール溝、32…締結部材、33…キャップ、34…平板部材、35…Ｆ状厚み部材、40…スライド部材、41…スライド溝、42…スライド突出部、43…凹凸部、50…当接部、60…位置決め部材、61…側端面、70…段差状角部、71…本体側角部、72…スライド側角部、80…引違い戸、81…敷居、110…化粧枠、111…壁、120…鴨居、121…案内溝、122…側縁部、130…表面部材、140…壁パネル、150…敷居、160…引違い戸。
【図１】
0003803989.tif 000002
【図２】
0003803989.tif 000003
【図３】
0003803989.tif 000004
【図４】
0003803989.tif 000005
【図５】
0003803989.tif 000006
【図６】
0003803989.tif 000007